(57)【特許請求の範囲】
【請求項１】
光源部から供給される照明光により被写体を走査するように構成された走査型内視鏡と、
前記走査型内視鏡から出射される前記照明光を受光領域で受光した際の受光位置に応じて異なる電圧または電流を発生する位置検出素子から出力されるアナログ信号を量子化してデジタル信号として出力するように構成された量子化部と、
前記受光領域が前記被写体として走査されている際に、前記量子化部におけるフルスケール電圧よりも狭い所定の入力電圧範囲から逸脱した信号強度を有する前記アナログ信号が前記位置検出素子から出力されないように、前記光源部から供給される前記照明光の出射強度を変化させるための制御を行う制御部と、
を有することを特徴とする走査型内視鏡システム。
【請求項２】
前記量子化部から出力される前記デジタル信号に基づき、前記受光領域における前記照明光の受光位置を特定するための処理を行う位置特定部をさらに有し、
前記制御部は、前記位置特定部の処理により特定された前記照明光の受光位置に基づき、前記光源部から供給される前記照明光の出射強度を前記受光領域の中心部から外周部にかけて増加させるための制御を行うとともに、前記光源部から供給される前記照明光の出射強度を前記受光領域の外周部から中心部にかけて減少させるための制御を行う
ことを特徴とする請求項１に記載の走査型内視鏡システム。
【請求項３】
前記制御部は、前記走査型内視鏡から出射される前記照明光により前記受光領域が渦巻状の走査経路で走査されている際に、前記光源部から供給される前記照明光の出射強度を前記渦巻状の走査経路の中心部から外周部にかけて増加させるための制御を行うとともに、前記光源部から供給される前記照明光の出射強度を前記渦巻状の走査経路の外周部から中心部にかけて減少させるための制御を行う
ことを特徴とする請求項１に記載の走査型内視鏡システム。
【請求項４】
前記制御部は、前記受光領域の走査に伴い、前記量子化部に入力される前記アナログ信号により示される電圧値である入力電圧値が時間的に減少して前記所定の入力電圧範囲の下限値に近づいたことを検出した際に、前記光源部から供給される前記照明光の出射強度を現在の出射強度から増加させるための制御を行うとともに、前記受光領域の走査に伴い、前記入力電圧値が時間的に増加して前記所定の入力電圧範囲の上限値に近づいたことを検出した際に、前記光源部から供給される前記照明光の出射強度を現在の出射強度から減少させるための制御を行う
ことを特徴とする請求項１に記載の走査型内視鏡システム。
【請求項５】
光源部から供給される照明光により被写体を走査するように構成された走査型内視鏡の較正方法であって、
量子化部が、前記走査型内視鏡から出射される前記照明光を受光領域で受光した際の受光位置に応じて異なる電圧または電流を発生する位置検出素子から出力されるアナログ信号を量子化してデジタル信号として出力するステップと、
制御部が、前記受光領域が前記被写体として走査されている際に、前記量子化部におけるフルスケール電圧よりも狭い所定の入力電圧範囲から逸脱した信号強度を有する前記アナログ信号が前記位置検出素子から出力されないように、前記光源部から供給される前記照明光の出射強度を変化させるための制御を行うステップと、
較正部が、前記受光領域における前記照明光の受光位置に基づいて前記走査型内視鏡の較正に用いられる情報を取得するステップと、
を有することを特徴とする走査型内視鏡の較正方法。
【発明の詳細な説明】
【技術分野】
【０００１】
本発明は、走査型内視鏡システムに関し、特に、被写体を走査して画像を取得する走査型内視鏡システム及び走査型内視鏡の較正方法に関するものである。
【背景技術】
【０００２】
医療分野の内視鏡においては、被検者の負担を軽減するために、当該被検者の体腔内に挿入される挿入部を細径化するための種々の技術が提案されている。そして、このような技術の一例として、前述の挿入部に相当する部分に固体撮像素子を有しない走査型内視鏡、及び、当該走査型内視鏡を具備して構成されたシステムが知られている。
【０００３】
具体的には、走査型内視鏡を具備するシステムは、例えば、光源から発せられた照明光を照明用の光ファイバにより伝送し、当該照明用の光ファイバの先端部を揺動させるためのアクチュエータを駆動することにより被写体を所定の走査経路で２次元走査し、当該被写体からの戻り光を受光用の光ファイバで受光し、当該受光用の光ファイバで受光された戻り光に基づいて当該被写体の画像を生成するように構成されている。
【０００４】
一方、走査型内視鏡を具備するシステムにおいては、被写体を走査して得られる画像の歪みを極力発生させないようにするために、例えば、前述のアクチュエータの個体差等に起因して生じる製造ばらつきを考慮しつつ、２次元走査における実際の走査経路と理想的な走査経路との間の誤差を抑制するような較正を行う必要がある。そして、例えば、特許文献１には、前述の走査型内視鏡に相当する走査ビーム・デバイスを具備する走査ビーム・システムにおいて、ＰＳＤ（以降、位置検出素子とも称する）を用いて前述の較正を行っているものが開示されている。
【発明の概要】
【発明が解決しようとする課題】
【０００５】
ここで、位置検出素子を用いた走査型内視鏡の較正においては、実際の走査経路における照明光の照射位置の検出に用いられる信号として、例えば、位置検出素子の受光面に設けられた受光領域の全域における相対的な位置を示すアナログ信号が位置検出素子から出力される。また、前述のアナログ信号の信号強度は、位置検出素子の受光領域で照明光を受光した際の受光強度に応じて決定される。
【０００６】
そのため、位置検出素子を用いて走査型内視鏡を較正する際には、例えば、位置検出素子の受光領域に照射される照明光の照射位置の時間的な変位に伴い、当該受光領域で受光される当該照明光の受光強度が変化することに起因し、当該照明光の照射位置の検出に適さない信号強度を有するアナログ信号が出力されてしまう場合がある、という問題点が生じている。
【０００７】
しかし、特許文献１には、前述の問題点を解消可能な手法等について特に言及されていない。従って、特許文献１に開示された構成によれば、位置検出素子を用いて走査型内視鏡を較正する際の較正精度が低下してしまう、という前述の問題点に応じた課題が生じている。
【０００８】
本発明は、前述した事情に鑑みてなされたものであり、位置検出素子を用いて走査型内視鏡を較正する際の較正精度を従来よりも向上させることが可能な走査型内視鏡システム及び走査型内視鏡の較正方法を提供することを目的としている。
【課題を解決するための手段】
【０００９】
本発明の一態様の走査型内視鏡システムは、光源部から供給される照明光により被写体を走査するように構成された走査型内視鏡と、前記走査型内視鏡から出射される前記照明光を受光領域で受光した際の受光位置に応じて異なる電圧または電流を発生する位置検出素子から出力されるアナログ信号を量子化してデジタル信号として出力するように構成された量子化部と、前記受光領域が前記被写体として走査されている際に、前記量子化部におけるフルスケール電圧よりも狭い所定の入力電圧範囲から逸脱した信号強度を有する前記アナログ信号が前記位置検出素子から出力されないように、前記光源部から供給される前記照明光の出射強度を変化させるための制御を行う制御部と、を有する。
【００１０】
本発明の一態様の走査型内視鏡の較正方法は、光源部から供給される照明光により被写体を走査するように構成された走査型内視鏡の較正方法であって、量子化部が、前記走査型内視鏡から出射される前記照明光を受光領域で受光した際の受光位置に応じて異なる電圧または電流を発生する位置検出素子から出力されるアナログ信号を量子化してデジタル信号として出力するステップと、制御部が、前記受光領域が前記被写体として走査されている際に、前記量子化部におけるフルスケール電圧よりも狭い所定の入力電圧範囲から逸脱した信号強度を有する前記アナログ信号が前記位置検出素子から出力されないように、前記光源部から供給される前記照明光の出射強度を変化させるための制御を行うステップと、較正部が、前記受光領域における前記照明光の受光位置に基づいて前記走査型内視鏡の較正に用いられる情報を取得するステップと、を有する。
【発明の効果】
【００１１】
本発明における走査型内視鏡システム及び走査型内視鏡の較正方法によれば、位置検出素子を用いて走査型内視鏡を較正する際の較正精度を従来よりも向上させることができる。
【図面の簡単な説明】
【００１２】
【図１】実施例に係る走査型内視鏡システムの要部の構成を示す図。
【図２】走査型内視鏡に設けられたアクチュエータ部の構成を説明するための図。
【図３】走査型内視鏡のアクチュエータ部に供給される駆動信号の信号波形の一例を示す図。
【図４】中心点Ａから最外点Ｂに至るまでの照明光の照射位置の時間的な変位を説明するための図。
【図５】最外点Ｂから中心点Ａに至るまでの照明光の照射位置の時間的な変位を説明するための図。
【図６】第１の実施例において、照明光の出射強度を段階的に変化させる際の判定基準として用いられる領域の一例を説明するための図。
【図７】第１の実施例の変形例において、照明光の出射強度を段階的に変化させる際に行われる制御の一例を説明するための図。
【図８】図７の制御に伴う照明光の出射強度の変化を説明するための図。
【図９】第１の実施例の変形例において、照明光の出射強度を漸次かつ線形的に変化させる際に行われる制御の一例を説明するための図である。
【図１０】第１の実施例の変形例において、照明光の出射強度を漸次かつ非線形的に変化させる際に行われる制御の一例を説明するための図である。
【図１１】第２の実施例において、照明光の出射強度を変化させる際に行われる制御の一例を説明するための図。
【図１２】図１１の制御を行う際に参照される入力電圧値Ｖｉの時間的な変動の一例を示す図。
【発明を実施するための形態】
【００１３】
以下、本発明の実施の形態について、図面を参照しつつ説明を行う。
【００１４】
（第１の実施例）
図１から図１０は、本発明の第１の実施例に係るものである。図１は、実施例に係る走査型内視鏡システムの要部の構成を示す図である。
【００１５】
走査型内視鏡システム１は、例えば、図１に示すように、光源部２と、光ファイバ３と、走査型内視鏡４と、アクチュエータ部５と、走査駆動部６と、光ファイババンドル７と、光検出部８と、画像生成部９と、表示装置１０と、入力装置１１と、制御部１２と、を有して構成されている。
【００１６】
光源部２は、被写体を照明するための照明光を生成して光ファイバ３へ供給することができるように構成されている。また、光源部２は、制御部１２の制御に応じ、光ファイバ３への照明光の供給を実施または停止するとともに、当該照明光の出射強度を所定の範囲内で変化させることができるように構成されている。
【００１７】
具体的には、光源部２は、例えば、制御部１２の制御に応じて発光状態（オン状態）または消光状態（オフ状態）に切替可能な赤色（Ｒ）光用レーザ光源、緑色（Ｇ）光用レーザ光源、及び、青色（Ｂ）光用レーザ光源を具備して構成されている。また、光源部２は、Ｒ光、Ｇ光及びＢ光のうちの少なくとも１つの色の光を照明光として光ファイバ３に供給することができるとともに、制御部１２の制御に応じて各レーザ光源の出力を変化させることにより、当該照明光の出射強度を所定の範囲内で変化させることができるように構成されている。
【００１８】
光ファイバ３は、例えば、シングルモードファイバ等により構成されている。光ファイバ３の光入射面を含む入射端部は、光源部２に接続されている。また、光ファイバ３の光出射面を含む出射端部は、走査型内視鏡４の先端部に配置されている。すなわち、光ファイバ３は、光源部２から供給される照明光を伝送し、当該伝送した照明光を出射端部から被写体へ出射することができるように構成されている。
【００１９】
走査型内視鏡４は、被検者の体腔内に挿入可能な細長形状を具備し、光源部２から供給される照明光により当該体腔内に存在する被写体を走査することができるように構成されている。
【００２０】
走査型内視鏡４の内部には、光ファイバ３と、光ファイババンドル７と、がそれぞれ挿通されている。また、走査型内視鏡４の内部には、走査駆動部６から供給される駆動信号に応じて光ファイバ３の出射端部を揺動するように構成されたアクチュエータ部５と、渦巻状の走査経路に沿って被写体を走査するための信号波形を示す情報が少なくとも格納されているメモリ１６と、が設けられている。
【００２１】
光ファイバ３及びアクチュエータ部５は、走査型内視鏡４の長手軸方向に垂直な断面において、例えば、図２に示す位置関係を具備するようにそれぞれ配置されている。図２は、走査型内視鏡に設けられたアクチュエータ部の構成を説明するための図である。
【００２２】
光ファイバ３とアクチュエータ部５との間には、図２に示すように、接合部材としてのフェルール４１が配置されている。具体的には、フェルール４１は、例えば、ジルコニア（セラミック）またはニッケル等により形成されている。
【００２３】
フェルール４１は、図２に示すように、四角柱として形成されており、走査型内視鏡４の長手軸方向に直交する第１の軸方向であるＸ軸方向に対して垂直な側面４２ａ及び４２ｃと、走査型内視鏡４の長手軸方向に直交する第２の軸方向であるＹ軸方向に対して垂直な側面４２ｂ及び４２ｄとを有している。また、フェルール４１の中心には、光ファイバ３が固定配置されている。なお、フェルール４１は、柱形状を具備する限りにおいては、四角柱以外の他の形状として形成されていてもよい。
【００２４】
アクチュエータ部５は、走査駆動部６から供給される駆動信号に基づいて光ファイバ３の出射端部を揺動することにより、当該出射端部を経て被写体へ出射される照明光の照射位置を所定の走査経路に沿って変位させることができるように構成されている。また、アクチュエータ部５は、図２に示すように、側面４２ａに沿って配置された圧電素子５ａと、側面４２ｂに沿って配置された圧電素子５ｂと、側面４２ｃに沿って配置された圧電素子５ｃと、側面４２ｄに沿って配置された圧電素子５ｄと、を有している。
【００２５】
圧電素子５ａ〜５ｄは、予め個別に設定された分極方向を具備するとともに、走査駆動部６から供給される駆動信号に応じて伸縮するように構成されている。
【００２６】
走査駆動部６は、例えば、駆動回路を具備して構成されている。また、走査駆動部６は、制御部１２の制御に基づき、アクチュエータ部５を駆動させるための駆動信号を生成し、当該生成した駆動信号をアクチュエータ部５に供給するように構成されている。
【００２７】
光ファイババンドル７は、例えば、複数の光ファイバを束ねて構成されている。光ファイババンドル７の入射端部は、走査型内視鏡４の先端部に配置されている。また、光ファイババンドル７の光出射面を含む出射端部は、光検出部８に接続されている。すなわち、光ファイババンドル７は、走査型内視鏡４の先端部において被写体からの戻り光（反射光）を受光するとともに、当該受光した戻り光を光検出部８へ伝送することができるように構成されている。
【００２８】
光検出部８は、例えば、光検出素子及びＡ／Ｄ変換器等を具備して構成されている。また、光検出部８は、光ファイババンドル７の出射端部を経て入射される戻り光を検出し、当該検出した戻り光の出射強度に応じた電気信号を生成し、当該生成した電気信号をデジタル信号に変換して順次出力するように構成されている。
【００２９】
画像生成部９は、例えば、画像処理回路等を具備して構成されている。また、画像生成部９は、制御部１２の制御に基づき、例えば、第１の渦巻状の走査経路（後述）及び第２の渦巻状の走査経路（後述）のうちの一方の走査経路で被写体を走査している期間中に光検出部８から出力されるデジタル信号に応じた輝度値を画素情報としてマッピングするマッピング処理等を行うことにより１フレーム分の観察画像を生成し、当該生成した観察画像を表示装置１０へ出力するように構成されている。
【００３０】
表示装置１０は、例えば、液晶ディスプレイ等により構成されている。また、表示装置１０は、画像生成部９から出力される観察画像等を表示することができるように構成されている。
【００３１】
入力装置１１は、例えば、ユーザ及び作業者等の人物による操作が可能なスイッチ及び／またはボタン等の入力インターフェースを具備して構成されている。また、入力装置１１は、ユーザ及び作業者等の人物の操作に応じた種々の指示を制御部１２に対して行うことができるように構成されている。具体的には、入力装置１１には、例えば、走査型内視鏡４の較正に係る動作を実施させるための指示を行うことが可能なスイッチであるキャリブレーションスイッチ（不図示）が設けられている。
【００３２】
制御部１２は、例えば、制御回路を具備し、光源部２、走査駆動部６及び画像生成部９のそれぞれに対して制御を行うように構成されている。
【００３３】
制御部１２は、例えば、走査型内視鏡システム１の電源が投入された際に、メモリ１６に格納されている情報を読み込むように構成されている。また、制御部１２は、メモリ１６から読み込んだ情報に基づき、例えば、Ｒ光、Ｇ光及びＢ光を時分割で被写体に照射しつつ、渦巻状の走査経路で当該被写体を走査するための制御を行うように構成されている。
【００３４】
具体的には、制御部１２は、例えば、図３の破線で示すような第１の信号波形と、図３の一点鎖線で示すような第２の信号波形と、がメモリ１６に格納されている場合において、当該第１の信号波形を具備する第１の駆動信号と、当該第２の信号波形を具備する第２の駆動信号と、を生成させるための制御を走査駆動部６に対して行うとともに、光ファイバ３への照明光の供給を実施させるための制御を光源部２に対して行う。また、走査駆動部６は、制御部１２の制御に基づいて生成した第１の駆動信号をアクチュエータ部５の圧電素子５ａ及び５ｃに供給するとともに、制御部１２の制御に基づいて生成した第２の駆動信号をアクチュエータ部５の圧電素子５ｂ及び５ｄに供給する。なお、図３の破線で示した第１の信号波形は、例えば、所定の変調を正弦波に施して得られる波形である。また、図３の一点鎖線で示した第２の信号波形は、例えば、前述の第１の信号波形の位相を９０°ずらして得られる波形である。図３は、走査型内視鏡のアクチュエータ部に供給される駆動信号の信号波形の一例を示す図である。
【００３５】
そして、以上に述べたような制御及び動作が行われることにより、光ファイバ３の出射端部が渦巻状に揺動されるとともに、図４及び図５に示すような渦巻状の走査経路に沿って被写体の表面が走査される。図４は、中心点Ａから最外点Ｂに至るまでの照明光の照射位置の時間的な変位を説明するための図である。図５は、最外点Ｂから中心点Ａに至るまでの照明光の照射位置の時間的な変位を説明するための図である。
【００３６】
具体的には、まず、時刻Ｔ１においては、被写体の表面における照明光の照射位置の中心点Ａに相当する位置に照明光が照射される。その後、第１及び第２の駆動信号の振幅が時刻Ｔ１から時刻Ｔ２にかけて増加するに伴い、被写体の表面における照明光の照射位置が、中心点Ａを起点として外側へ向かう第１の渦巻状の走査経路に沿って変位し、さらに、時刻Ｔ２に達すると、被写体の表面における照明光の照射位置の最外点Ｂに照明光が照射される。そして、第１及び第２の駆動信号の振幅が時刻Ｔ２から時刻Ｔ３にかけて減少するに伴い、被写体の表面における照明光の照射位置が、最外点Ｂを起点として内側へ向かう第２の渦巻状の走査経路に沿って変位し、さらに、時刻Ｔ３に達すると、被写体の表面における中心点Ａに照明光が照射される。
【００３７】
制御部１２は、メモリ１６から読み込んだ情報に基づき、例えば、第１の渦巻状の走査経路及び第２の渦巻状の走査経路のうちの一方の走査経路で被写体を走査している期間中に光検出部８から出力されるデジタル信号を用いて１フレーム分の画像を生成させるとともに、当該一方の走査経路とは異なる他方の走査経路で当該被写体を走査している期間中に光検出部８から出力されるデジタル信号を用いた画像を生成させないようにするための制御を画像生成部９に対して行うように構成されている。
【００３８】
制御部１２は、Ａ／Ｄ変換回路１２１と、演算処理回路１２２と、を有して構成されている。また、制御部１２は、キャリブレーションスイッチの操作に応じた指示がなされたことを検知した際に、メモリ１６から読み込んだ情報と、ＰＳＤ１０１から出力される出力信号と、に基づき、走査型内視鏡４の較正に係る動作を行うように構成されている。また、制御部１２は、走査型内視鏡４の較正に係る動作を行っている最中に、すなわち、走査型内視鏡４から出射される照明光によりＰＳＤ１０１の受光領域が走査されている際に、Ａ／Ｄ変換回路１２１の所定の入力電圧範囲（後述）から逸脱した信号強度を有するアナログ信号がＰＳＤ１０１から出力されないように、光源部２から供給される照明光の出射強度を変化させるための制御を行うように構成されている。
【００３９】
ＰＳＤ１０１は、走査型内視鏡４から出射される照明光を、受光面に設けられた受光領域で受光することができるように構成されている。また、ＰＳＤ１０１は、走査型内視鏡４から出射される照明光を受光領域で受光した際に、当該照明光の受光位置に応じて異なる電圧または電流を発生するとともに、当該発生した電圧または当該発生した電流の大きさに相当する電圧値を信号強度（振幅）とするアナログ信号を生成して出力するように構成されている。すなわち、ＰＳＤ１０１は、走査型内視鏡４から出射される照明光の照射位置を検出し、当該検出した照射位置を受光領域の全域における相対的な位置として示すアナログ信号を生成して出力するように構成されている。
【００４０】
Ａ／Ｄ変換回路１２１は、例えば、ＰＳＤ１０１から出力されるアナログ信号により示される電圧値を所定の入力電圧範囲及び所定の分解能に応じたデジタルデータに変換し、当該変換したデジタルデータを有するデジタル信号を出力するように構成されている。なお、前述の所定の入力電圧範囲は、例えば、Ａ／Ｄ変換回路１２１のフルスケール電圧の５％〜９５％のような、Ａ／Ｄ変換回路１２１のフルスケール電圧よりも狭い範囲として規定されるものとする。また、前述の所定の入力電圧範囲は、演算処理回路１２２がＡ／Ｄ変換回路１２１から出力されるデジタル信号に基づいてＰＳＤ１０１の受光領域における照明光の受光位置を正確に特定することが可能な電圧の範囲として規定されるものとする。
【００４１】
演算処理回路１２２は、位置特定部としての機能を有し、キャリブレーションスイッチの操作に応じた指示がなされたことを検知した際に、Ａ／Ｄ変換回路１２１から出力されるデジタル信号に基づき、ＰＳＤ１０１の受光領域における照明光の受光位置を特定するための処理を行うように構成されている。具体的には、演算処理回路１２２は、キャリブレーションスイッチの操作に応じた指示がなされたことを検知した際に、Ａ／Ｄ変換回路１２１から出力されるデジタル信号に基づき、例えば、ＰＳＤ１０１の受光領域における照明光の受光位置を所定のメッシュパターン上の座標値としてマッピングする処理を行うように構成されている。なお、前述の所定のメッシュパターンは、例えば、Ａ／Ｄ変換回路１２１における所定の入力電圧範囲及び所定の分解能に応じてＰＳＤ１０１の受光領域を格子状の小領域に分割するような図形パターンであるとともに、格子状に分割された各小領域の位置を座標値として得ることが可能な図形パターンとして設定されるものとする。
【００４２】
演算処理回路１２２は、前述の所定のメッシュパターン上にマッピングした各座標値と、当該所定のメッシュパターン上における理想的な走査経路を示す各座標値と、を比較することにより、走査型内視鏡４の較正に用いられるデータである較正用データを取得するとともに、当該取得した較正用データをメモリ１６に格納するように構成されている。
【００４３】
すなわち、演算処理回路１２２は、較正部としての機能を具備し、ＰＳＤ１０１の受光領域における照明光の受光位置に基づいて走査型内視鏡４の較正に用いられる情報を取得するように構成されている。
【００４４】
なお、本実施例においては、前述の理想的な走査経路を示す各座標値が、例えば、メモリ１６に格納されている（図３に示したような）信号波形に応じた渦巻状の走査経路で被写体を走査した際の照明光の照射位置を示す座標値として取得されるものとする。
【００４５】
また、本実施例においては、前述の較正用データとして、例えば、図３に示した信号波形の振幅等のパラメータを調整するためのデータが取得されるものであってもよく、または、画像生成部９において生成される観察画像の歪みを抑制するためのデータが取得されるものであってもよい。
【００４６】
続いて、本実施例に係る走査型内視鏡システム１の動作等について説明する。
【００４７】
作業者は、走査型内視鏡システム１の各部を接続して電源を投入した後、走査型内視鏡４の先端部をＰＳＤ１０１の受光面に対向する位置に配置した状態において、入力装置１１のキャリブレーションスイッチを操作することにより、走査型内視鏡４の較正に係る動作を実施させるための指示を行う。なお、以降においては、渦巻状の走査経路における中心点Ａと、ＰＳＤ１０１の受光領域ＲＡの中心と、が一致するように配置された状態でキャリブレーションスイッチが操作された場合を例に挙げて説明を行う。
【００４８】
制御部１２は、走査型内視鏡システム１の電源が投入された際に、メモリ１６に格納されている情報を読み込む。また、制御部１２は、キャリブレーションスイッチが操作されたことを検知した際に、メモリ１６に格納されている情報に基づき、渦巻状の走査経路でＰＳＤ１０１の受光領域ＲＡを走査するための制御を行う。そして、このような制御部１２の制御に伴い、走査型内視鏡４から出射される照明光の受光位置に応じて生成されたアナログ信号がＰＳＤ１０１から出力され、当該アナログ信号に応じたデジタルデータを有するデジタル信号がＡ／Ｄ変換回路１２１から出力され、当該デジタル信号に基づいて受光領域ＲＡにおける照明光の受光位置を座標値として特定するための処理が演算処理回路１２２により行われる。
【００４９】
制御部１２は、演算処理回路１２２の処理により得られた座標値に基づき、光源部２から供給される照明光の出射強度を、最小出射強度Ｐｍｉｎより大きくかつ最大出射強度Ｐｍａｘより小さい範囲内において段階的に変化させるための制御を行う。
【００５０】
具体的には、制御部１２は、演算処理回路１２２の処理により得られた座標値に基づき、例えば、ＰＳＤ１０１の受光領域ＲＡに照射された照明光の現在の照射位置が、図６に示すような、受光領域ＲＡの中心部に位置しかつ受光領域ＲＡの中心を中心とする矩形形状の領域として設定された領域ＡＳ１、受光領域ＲＡの中間部に位置しかつ領域ＡＳ１の周囲を囲う矩形枠状の領域として設定された領域ＡＳ２、及び、受光領域ＲＡの外周部に位置しかつ領域ＡＳ２の周囲を囲う矩形枠状の領域として設定された領域ＡＳ３のうちのいずれに属するかを判定する。図６は、第１の実施例において、照明光の出射強度を段階的に変化させる際の判定基準として用いられる領域の一例を説明するための図である。
【００５１】
なお、本実施例においては、例えば、ＰＳＤ１０１の受光領域ＲＡの走査が開始される前までに、領域ＡＳ１、ＡＳ２及びＡＳ３の設定に係る処理等が行われることにより、当該領域ＡＳ１、ＡＳ２及びＡＳ３のそれぞれに含まれ得る座標値に関する情報を制御部１２が既知の情報として扱うことが可能な状態になっているものとする。
【００５２】
そして、制御部１２は、例えば、ＰＳＤ１０１に照射された照明光の現在の照射位置が領域ＡＳ１に属するとの判定結果を得た際には、光源部２から供給される照明光の出射強度を、最小出射強度Ｐｍｉｎより大きくかつ最大出射強度Ｐｍａｘより小さい出射強度ＰＬに設定するための制御を行う。
【００５３】
制御部１２は、例えば、ＰＳＤ１０１に照射された照明光の現在の照射位置が領域ＡＳ２に属するとの判定結果を得た際には、光源部２から供給される照明光の出射強度を、出射強度ＰＬより大きくかつ最大出射強度Ｐｍａｘより小さい出射強度ＰＭに設定するための制御を行う。
【００５４】
制御部１２は、例えば、ＰＳＤ１０１に照射された照明光の現在の照射位置が領域ＡＳ３に属するとの判定結果を得た際には、光源部２から供給される照明光の出射強度を、出射強度ＰＭより大きくかつ最大出射強度Ｐｍａｘより小さい出射強度ＰＨに設定するための制御を行う。
【００５５】
すなわち、本実施例に係る制御部１２は、演算処理回路１２２の処理により特定された照明光の受光位置に基づき、光源部２から供給される照明光の出射強度を受光領域ＲＡの中心部から外周部にかけて段階的に増加させるための制御を行うとともに、光源部２から供給される照明光の出射強度を受光領域ＲＡの外周部から中心部にかけて段階的に減少させるための制御を行っている。
【００５６】
演算処理回路１２２は、光源部２から供給される照明光の出射強度を変化させるための制御が行われた後にＡ／Ｄ変換回路１２１から出力されるデジタル信号に基づいて得られた各座標値と、理想的な走査経路を示す各座標値と、を比較することにより、走査型内視鏡４の較正に用いられるデータである較正用データを取得する。そして、演算処理回路１２２は、較正用データをメモリ１６に格納することにより、走査型内視鏡４の較正に係る動作を完了する。
【００５７】
以上に述べたように、本実施例によれば、例えば、ＰＳＤ１０１の受光領域ＲＡの中心部が走査されている場合に、光源部２から供給される照明光の出射強度を相対的に低めるような制御が行われることにより、Ａ／Ｄ変換回路１２１における入力電圧範囲の上限電圧値よりも大きな信号強度を具備するアナログ信号がＰＳＤ１０１から出力されることを極力抑制することができる。また、本実施例によれば、例えば、ＰＳＤ１０１の受光領域ＲＡの外周部が走査されている場合に、光源部２から供給される照明光の出射強度を相対的に高めるような制御が行われることにより、Ａ／Ｄ変換回路１２１における入力電圧範囲の下限電圧値よりも小さな信号強度を具備するアナログ信号がＰＳＤ１０１から出力されることを極力抑制することができる。従って、本実施例によれば、位置検出素子を用いて走査型内視鏡を較正する際の較正精度を従来よりも向上させることができる。
【００５８】
なお、本実施例においては、演算処理回路１２２の処理により特定された照明光の受光位置に基づき、光源部２から供給される照明光の出射強度を領域ＡＳ１、ＡＳ２及びＡＳ３毎に段階的に変化させるための制御が行われるものに限らず、例えば、光源部２から供給される照明光の出射強度を受光領域ＲＡの中心部から外周部にかけて無段階にまたは漸次増加させるための制御が行われるとともに、光源部２から供給される照明光の出射強度を受光領域ＲＡの外周部から中心部にかけて無段階にまたは漸次減少させるための制御が行われるようにしてもよい。
【００５９】
また、本実施例は、光源部２から供給される照明光の出射強度を、光源部２から供給される照明光の光量に置き換えた場合であっても略同様に適用される。
【００６０】
一方、本実施例においては、光源部２から供給される照明光の出射強度を変化させるための制御が、ＰＳＤ１０１に照射された照明光の現在の照射位置の検出結果に基づいて行われるものに限らず、例えば、渦巻状の走査経路でＰＳＤ１０１の受光領域ＲＡを走査する際に用いられる信号波形に基づいて行われるようにしてもよい。このような変形例に係る具体的な制御について、以下に説明する。なお、以降においては、簡単のため、既述の構成等に関する具体的な説明を適宜省略するものとする。
【００６１】
制御部１２は、ＰＳＤ１０１の受光領域ＲＡの走査が開始される前に、メモリ１６から読み込んだ情報に含まれる信号波形に基づき、時刻Ｔ１、Ｔ２及びＴ３に相当する各タイミングを特定するとともに、時刻Ｔ１からＴ３までの期間内において、時刻Ｔ２から時間ｔｐだけ前のタイミングに相当する時刻Ｔａと、時刻Ｔ２から時間ｔｐより短い時間ｔｑだけ前のタイミングに相当する時刻Ｔｂと、時刻Ｔ２から時間ｔｑだけ後のタイミングに相当する時刻Ｔｃと、時刻Ｔ２から時間ｔｐだけ後のタイミングに相当する時刻Ｔｄと、をそれぞれ設定する。
【００６２】
制御部１２は、前述のように特定した時刻Ｔ１〜Ｔ３と、前述のように設定した時刻Ｔａ〜Ｔｄと、に基づき、光源部２から供給される照明光の出射強度を、最小出射強度Ｐｍｉｎより大きくかつ最大出射強度Ｐｍａｘより小さい範囲内において段階的に変化させるための制御を行う。
【００６３】
具体的には、制御部１２は、前述のように特定した時刻Ｔ１〜Ｔ３と、前述のように設定した時刻Ｔａ〜Ｔｄと、に基づき、例えば、図７に示すように、時刻Ｔ１からＴａまでの期間、及び、時刻ＴｄからＴ３までの期間において、光源部２から供給される照明光の出射強度を出射強度ＰＬに設定するための制御を行う。そして、このような制御部１２の制御に伴い、例えば、図８のような領域として示される、受光領域ＲＡの中心部に位置しかつ受光領域ＲＡの中心を中心とする略円形形状の領域ＡＣ１が渦巻状に走査される際に、出射強度ＰＬの照明光が走査型内視鏡４から出射される。図７は、第１の実施例の変形例において、照明光の出射強度を段階的に変化させる際に行われる制御の一例を説明するための図である。図８は、図７の制御に伴う照明光の出射強度の変化を説明するための図である。
【００６４】
また、制御部１２は、前述のように特定した時刻Ｔ１〜Ｔ３と、前述のように設定した時刻Ｔａ〜Ｔｄと、に基づき、例えば、図７に示すように、時刻ＴａからＴｂまでの期間、及び、時刻ＴｃからＴｄまでの期間において、光源部２から供給される照明光の出射強度を出射強度ＰＭに設定するための制御を行う。そして、このような制御部１２の制御に伴い、例えば、図８のような領域として示される、受光領域ＲＡの中間部に位置しかつ領域ＡＣ１の周囲を囲う略円環形状の領域ＡＣ２が渦巻状に走査される際に、出射強度ＰＭの照明光が走査型内視鏡４から出射される。
【００６５】
また、制御部１２は、前述のように特定した時刻Ｔ１〜Ｔ３と、前述のように設定した時刻Ｔａ〜Ｔｄと、に基づき、例えば、図７に示すように、時刻ＴｂからＴｃまでの期間において、光源部２から供給される照明光の出射強度を出射強度ＰＨに設定するための制御を行う。そして、このような制御部１２の制御に伴い、例えば、図８のような領域として示される、受光領域ＲＡの外周部に位置しかつ領域ＡＣ２の周囲を囲う略円環形状の領域ＡＣ３が渦巻状に走査される際に、出射強度ＰＨの照明光が走査型内視鏡４から出射される。
【００６６】
すなわち、本変形例に係る制御部１２は、走査型内視鏡４から出射される照明光により受光領域ＲＡが渦巻状の走査経路で走査されている際に、光源部２から供給される照明光の出射強度を当該渦巻状の走査経路の中心部から外周部にかけて増加させるための制御を行うとともに、光源部２から供給される照明光の出射強度を当該渦巻状の走査経路の外周部から中心部にかけて減少させるための制御を行っている。
【００６７】
そして、以上に述べたような本変形例に係る制御が行われた場合においても、位置検出素子を用いて走査型内視鏡を較正する際の較正精度を従来よりも向上させることができる、という作用効果が得られる。
【００６８】
なお、本変形例においては、渦巻状の走査経路でＰＳＤ１０１の受光領域ＲＡを走査する際に用いられる信号波形に基づき、光源部２から供給される照明光の出射強度を段階的に変化させるための制御が行われるものに限らず、例えば、図９及び図１０に示すように、光源部２から供給される照明光の出射強度を無段階にまたは漸次変化させるための制御が行われるようにしてもよい。図９は、第１の実施例の変形例において、照明光の出射強度を漸次かつ線形的に変化させる際に行われる制御の一例を説明するための図である。図１０は、第１の実施例の変形例において、照明光の出射強度を漸次かつ非線形的に変化させる際に行われる制御の一例を説明するための図である。
【００６９】
具体的には、例えば、図９に示すように、時刻Ｔ１からＴ２までの期間において、光源部２から供給される照明光の出射強度を出射強度ＰＬからＰＨへ漸次かつ線形的に増加させてゆくような制御が行われ、時刻Ｔ２からＴ３までの期間において、光源部２から供給される照明光の出射強度を出射強度ＰＨからＰＬへ漸次かつ線形的に減少させてゆくような制御が行われるようにしてもよい。
【００７０】
または、例えば、図１０に示すように、時刻Ｔ１からＴ２までの期間において、光源部２から供給される照明光の出射強度を出射強度ＰＬからＰＨへ漸次かつ非線形的に増加させてゆくような制御が行われ、時刻Ｔ２からＴ３までの期間において、光源部２から供給される照明光の出射強度を出射強度ＰＨからＰＬへ漸次かつ非線形的に減少させてゆくような制御が行われるようにしてもよい。
【００７１】
（第２の実施例）
図１１及び図１２は、本発明の第２の実施例に係るものである。
【００７２】
なお、本実施例は、第１の実施例と同様の構成を有する走査型内視鏡システム１において、ＰＳＤ１０１の受光領域ＲＡを走査する際に光源部２から供給される照明光の出射強度を第１の実施例とは異なる制御により変化させるものである。そのため、本実施例においては、走査型内視鏡システム１の各部の構成に関する詳細な説明を省略するとともに、走査型内視鏡システム１の動作に関する部分に主眼を置いて説明を行う。
【００７３】
また、本実施例においては、Ａ／Ｄ変換回路１２１のフルスケール電圧が最小電圧値Ｖｍｉｎから最大電圧値Ｖｍａｘまでの範囲で設定されているとともに、当該フルスケール電圧の範囲内において、ＰＳＤ１０１から出力されるアナログ信号を好適に量子化することが可能なＡ／Ｄ変換回路１２１の入力電圧範囲の下限電圧値ＶＬ及び上限電圧値ＶＨが設定されている場合を例に挙げて説明を行う。
【００７４】
作業者は、走査型内視鏡システム１の各部を接続して電源を投入した後、走査型内視鏡４の先端部をＰＳＤ１０１の受光面に対向する位置に配置した状態において、入力装置１１のキャリブレーションスイッチを操作することにより、走査型内視鏡４の較正に係る動作を実施させるための指示を行う。
【００７５】
制御部１２は、走査型内視鏡システム１の電源が投入された際に、メモリ１６に格納されている情報を読み込む。また、制御部１２は、キャリブレーションスイッチが操作されたことを検知した際に、メモリ１６に格納されている情報に基づき、渦巻状の走査経路でＰＳＤ１０１の受光領域ＲＡを走査するための制御を行う。そして、このような制御部１２の制御に伴い、走査型内視鏡４から出射される照明光の受光位置に応じて生成されたアナログ信号がＰＳＤ１０１から出力され、当該アナログ信号に応じたデジタルデータを有するデジタル信号がＡ／Ｄ変換回路１２１から出力され、当該デジタル信号に基づいて受光領域ＲＡにおける照明光の受光位置を座標値として特定するための処理が演算処理回路１２２により行われる。
【００７６】
制御部１２は、Ａ／Ｄ変換回路１２１から出力されるデジタル信号に基づき、Ａ／Ｄ変換回路１２１に入力されるアナログ信号により示される電圧値である入力電圧値Ｖｉの時間的な変動をモニタリングすることにより、当該入力電圧値ＶｉがＡ／Ｄ変換回路１２１の入力電圧範囲から逸脱しないように、光源部２から供給される照明光の出射強度を変化させるための制御を行う。このような制御の具体例について、図１１及び図１２を参照しつつ以下に説明する。図１１は、第２の実施例において、照明光の出射強度を変化させる際に行われる制御の一例を説明するための図である。図１２は、図１１の制御を行う際に参照される入力電圧値Ｖｉの時間的な変動の一例を示す図である。
【００７７】
制御部１２は、例えば、図１１に示すように、時刻Ｔ１において、光源部２から供給される照明光の出射強度を、最小出射強度Ｐｍｉｎより大きくかつ最大出射強度Ｐｍａｘより小さい出射強度ＰＴＬから、当該出射強度ＰＴＬより大きくかつ最大出射強度Ｐｍａｘより小さい出射強度ＰＴＭに漸次増加させるための制御を行う。そして、このような制御によれば、例えば、図１２に示すように、入力電圧値Ｖｉの大きさが上限電圧値ＶＨから漸次減少してゆく。
【００７８】
制御部１２は、入力電圧値Ｖｉの時間的な変動をモニタリングすることにより、例えば、図１１及び図１２に示すように、時刻Ｔ１よりも後でありかつ時刻Ｔ２よりも前のタイミングである時刻Ｔｅにおいて、入力電圧値Ｖｉの大きさが、上限電圧値ＶＨよりも小さな電圧閾値ＶＨＴに達したことを検出した際に、光源部２から供給される照明光の出射強度を出射強度ＰＴＭに維持させるための制御を行う。そして、このような制御によれば、例えば、図１２に示すように、入力電圧値Ｖｉの大きさが電圧閾値ＶＨＴから漸次減少してゆく。
【００７９】
ここで、ＰＳＤ１０１とＡ／Ｄ変換回路１２１との組み合わせ次第では、例えば、光源部２から供給される照明光の出射強度を出射強度ＰＴＭに維持したまま受光領域ＲＡの走査を続けた際に、入力電圧値Ｖｉの大きさが下限電圧値ＶＬよりも小さくなることにより、渦巻状の走査経路の最外周付近に照射された照明光の照射位置を正確に特定することができなくなってしまう場合がある、という問題が発生する。
【００８０】
これに対し、本実施例においては、中心点Ａから最外点Ｂへ向かう第１の渦巻状の走査経路で受光領域ＲＡを走査している期間中に、入力電圧値Ｖｉの大きさが漸次減少して下限電圧値ＶＬに近づいたことを検出した際に、光源部２から供給される照明光の出射強度を増加させるための制御を行うことにより、前述のような問題の発生を防ぐようにしている。
【００８１】
具体的には、制御部１２は、入力電圧値Ｖｉの時間的な変動をモニタリングすることにより、時刻Ｔｅよりも後でありかつ時刻Ｔ２よりも前のタイミングである時刻Ｔｆにおいて、入力電圧値Ｖｉの大きさが、電圧閾値ＶＨＴよりも小さくかつ下限電圧値ＶＬよりも大きな電圧閾値ＶＬＴに達したことを検出した際に、光源部２から供給される照明光の出射強度を、出射強度ＰＴＭから、当該出射強度ＰＴＭより大きくかつ最大出射強度Ｐｍａｘより小さい出射強度ＰＴＨに漸次増加させるための制御を行う。そして、このような制御によれば、例えば、図１１及び図１２に示すように、時刻Ｔｆから時刻Ｔ２までの期間における入力電圧値Ｖｉの大きさの時間的な減少度合いを、時刻Ｔｅから時刻Ｔｆまでの期間における入力電圧値Ｖｉの大きさの時間的な減少度合いに比べて緩やかにすることができ、その結果、入力電圧値Ｖｉの大きさが漸次減少して下限電圧値ＶＬよりも小さくなることを防ぐことができる。
【００８２】
一方、制御部１２は、例えば、図１１に示すように、時刻Ｔ２において、光源部２から供給される照明光の出射強度を出射強度ＰＴＨから出射強度ＰＴＭに漸次減少させるための制御を行う。そして、このような制御によれば、例えば、図１２に示すように、入力電圧値Ｖｉの大きさが下限電圧値ＶＬから漸次増加してゆく。
【００８３】
制御部１２は、入力電圧値Ｖｉの時間的な変動をモニタリングすることにより、例えば、図１１及び図１２に示すように、時刻Ｔ２よりも後でありかつ時刻Ｔ３よりも前のタイミングである時刻Ｔｇにおいて、入力電圧値Ｖｉの大きさが電圧閾値ＶＬＴに達したことを検出した際に、光源部２から供給される照明光の出射強度を出射強度ＰＴＭに維持させるための制御を行う。そして、このような制御によれば、例えば、図１２に示すように、入力電圧値Ｖｉの大きさが電圧閾値ＶＬＴから漸次増加してゆく。
【００８４】
ここで、ＰＳＤ１０１とＡ／Ｄ変換回路１２１との組み合わせ次第では、例えば、光源部２から供給される照明光の出射強度を出射強度ＰＴＭに維持したまま受光領域ＲＡの走査を続けた際に、入力電圧値Ｖｉの大きさが上限電圧値ＶＨよりも大きくなることにより、渦巻状の走査経路の中心部付近に照射された照明光の照射位置を正確に特定することができなくなってしまう場合がある、という問題が発生する。
【００８５】
これに対し、本実施例においては、最外点Ｂから中心点Ａへ向かう第２の渦巻状の走査経路で受光領域ＲＡを走査している期間中に、入力電圧値Ｖｉの大きさが漸次増加して上限電圧値ＶＨに近づいたことを検出した際に、光源部２から供給される照明光の出射強度を減少させるための制御を行うことにより、前述のような問題の発生を防ぐようにしている。
【００８６】
具体的には、制御部１２は、入力電圧値Ｖｉの時間的な変動をモニタリングすることにより、時刻Ｔｇよりも後でありかつ時刻Ｔ３よりも前のタイミングである時刻Ｔｈにおいて、入力電圧値Ｖｉの大きさが電圧閾値ＶＨＴに達したことを検出した際に、光源部２から供給される照明光の出射強度を出射強度ＰＴＭから出射強度ＰＴＬに漸次減少させるための制御を行う。そして、このような制御によれば、例えば、図１１及び図１２に示すように、時刻Ｔｈから時刻Ｔ３までの期間における入力電圧値Ｖｉの大きさの時間的な増加度合いを、時刻Ｔｇから時刻Ｔｈまでの期間における入力電圧値Ｖｉの大きさの時間的な増加度合いに比べて緩やかにすることができ、その結果、入力電圧値Ｖｉの大きさが漸次増加して上限電圧値ＶＨよりも大きくなることを防ぐことができる。
【００８７】
すなわち、本実施例に係る制御部１２は、受光領域ＲＡの走査に伴い、入力電圧値Ｖｉが時間的に減少して下限電圧値ＶＬに近づいたことを検出した際に、光源部２から供給される照明光の出射強度を出射強度ＰＴＭから出射強度ＰＴＨに増加させるための制御を行っている。また、本実施例に係る制御部１２は、受光領域ＲＡの走査に伴い、入力電圧値Ｖｉが時間的に増加して上限電圧値ＶＨに近づいたことを検出した際に、光源部２から供給される照明光の出射強度を出射強度ＰＴＭから出射強度ＰＴＬに減少させるための制御を行っている。
【００８８】
そして、以上に述べたような本実施例に係る制御が行われた場合においても、位置検出素子を用いて走査型内視鏡を較正する際の較正精度を従来よりも向上させることができる、という第１の実施例と同様の作用効果が得られる。
【００８９】
なお、本発明は、上述した各実施例及び変形例に限定されるものではなく、発明の趣旨を逸脱しない範囲内において種々の変更や応用が可能であることは勿論である。
【符号の説明】
【００９０】
１  走査型内視鏡システム
２  光源部
３  光ファイバ
４  走査型内視鏡
５  アクチュエータ部
６  走査駆動部
７  光ファイババンドル
８  光検出部
９  画像生成部
１０  表示装置
１１  入力装置
１２  制御部
１６  メモリ
１０１  ＰＳＤ
１２１  Ａ／Ｄ変換回路
１２２  演算処理回路
【先行技術文献】
【特許文献】
【００９１】
【特許文献１】日本国特許第５１９０２６７号公報
【図１】
0006444812.tif 000002
【図２】
0006444812.tif 000003
【図３】
0006444812.tif 000004
【図４】
0006444812.tif 000005
【図５】
0006444812.tif 000006
【図６】
0006444812.tif 000007
【図７】
0006444812.tif 000008
【図８】
0006444812.tif 000009
【図９】
0006444812.tif 000010
【図１０】
0006444812.tif 000011
【図１１】
0006444812.tif 000012
【図１２】
0006444812.tif 000013